(57)【要約】      （修正有）【課題】帯状把手を装着したまま蓄電池が固定用金具で固定される場合、前記帯状把手が蓄電池の蓋上面に存在し、固定の障害になることがあり、さらに、蓋上面に設けた液口栓を塞いでしまうこともあり、補液がやり難い問題をも抱えていることに対して、帯状把手を装着したままでも固定用金具の障害にならず、また液口栓を塞ぐことのない帯状把手を備えた蓄電池を提供する。【解決手段】  帯状把手６を備えた蓄電池１において、前記蓄電池の蓋上面３に液口栓や端子とは異なる位置に溝部８を設け、前記蓄電池の側面に帯状把手掛止部９を設けたことを特徴とする。【選択図】      図１
2005216531.tif 000002
【特許請求の範囲】
【請求項１】
帯状把手を備えた蓄電池において、
前記蓄電池の蓋上面に液口栓や端子とは異なる位置に溝部を設け、前記蓄電池の側面に帯状把手掛止部を設けたことを特徴とする蓄電池。
【発明の詳細な説明】
【技術分野】
【０００１】
帯状把手を備えた蓄電池に関する。
【背景技術】
【０００２】
蓄電池は容量が大きくなるほど使用する発電要素の量を多く必要とし、重量が重くなることは周知である。したがって、重量が重い蓄電池には、持ち運びを容易にするために把手が取り付けられていることが多い。
【０００３】
図３は、帯状把手が取り付けられた自動車用鉛蓄電池の一例を示す要部模式図で、１は自動車用鉛蓄電池本体、２は鉛蓄電池の電槽、３はその蓋、４は液口栓、５は端子、６は帯状把手、７は前記帯状把手６の両端を蓄電池に固定しているボルト（図３では片方のみを図示）をそれぞれ示す。
【０００４】
帯状把手が装着された蓄電池が特許文献１に提案されている・
【特許文献１】実開昭６２−１８４６６９号公報
【発明の開示】
【発明が解決しようとする課題】
【０００５】
図３に示すように帯状把手６の部材に合成繊維等からなる織布が使用されている場合、帯状把手６が使用されない時は帯状把手６の大部分が自動車用鉛蓄電池１の蓋３の上面に垂れ下がり接触した状態で存在する。このような帯状把手６を装着したままの自動車用鉛蓄電池１を自動車に設置し、固定用金具で固定する場合、帯状把手６の厚みが厚い場合には安定した固定ができないため、通常、取り外されることが多く、再度、設置場所から鉛蓄電池を移動させるときには、把手がなく、持ち上げが困難になる問題が発生する。また、帯状把手をつけたまま固定用金具が装着できたとしても、図３に示すように、帯状把手６が液口栓４を塞いだ形なっており、固定用金具が装着されている状態では液口栓４の開口が難しく、補液し難い問題をも抱えている。
【０００６】
したがって、本願発明の目的は、帯状把手６が装着されたままの蓄電池が自動車あるいは他の機器に設置・装着されても、固定用金具の固定の障害にならず、また液口栓４を塞ぐことのない帯状把手６を備えた蓄電池を提供することにある。
【課題を解決するための手段】
【０００７】
本願発明の課題を解決するための手段として、請求項１による発明は、帯状把手を備えた蓄電池において、前記蓄電池の蓋上面に液口栓や端子とは異なる位置に溝部を設け、前記蓄電池の側面に帯状把手掛止部を設けたことを特徴とするものである。
【発明の効果】
【０００８】
以上、説明したように、帯状把手を備えた蓄電池において、前記蓄電池に前記帯状把手を嵌挿するための溝部および帯状把手の一部を掛止するための掛止部を設けることにより、前記帯状把手を使用しない時は、前記帯状把手を溝部に嵌挿すると共に、溝部からはみ出した部分を前記掛止部に掛止することにより、帯状把手を蓄電池の蓋上面より下面に配置した状態を維持することができ、帯状把手が固定金具を取り付ける際の障害にならず、また、液口栓を塞ぐこともなく、補水が困難な問題も発生せず、その工業的効果が大である。
【発明を実施するための最良の形態】
【０００９】
本発明を実施するための最良の形態は、帯状把手を備えた蓄電池において、前記蓄電池の蓋上面に液口栓や端子とは異なる位置に溝部を設け、前記蓄電池の側面に帯状把手掛止部を設けた構造にすることである。
【００１０】
上記構造にすることにより、帯状把手を使用しない時は、帯状把手を溝部に嵌挿し、溝部からはみ出した部分を掛止部に掛止することによって、帯状把手を蓄電池の蓋上面より下面に配置した状態を維持することができ、固定金具取り付けの障害になったり、液口栓を塞ぐことがない。
【００１１】
本願発明の溝部は、帯状把手を嵌挿しやすいように、幅は帯状把手の幅より広く、溝部の深さは、帯状把手の厚みより大きい寸法を有していることが基本である。しかし、帯状把手の材質によっては折り曲げて嵌挿することも可能であり、帯状把手の特性を考慮し、帯状把手を前記溝部に嵌挿したときに、蓄電池の蓋上面から突出しない溝部の形状および寸法を適宜決めればよい。
【００１２】
帯状把手は、上記効果を得るためには、変形自在の特性を有していることが好ましく、そのような部材として合成繊維を編んだもの、または前記繊維の織布あるいは不織布からなるものが代表例として挙げられる。また、軟らかい材質の樹脂フィルムも適用可能である。
【００１３】
さらに、帯状把手をより強固に掛止部に掛止するには、前記帯状把手が伸縮性を有していることがより好ましい。
【００１４】
また、本願発明では、帯状把手を蓄電池に取り付けたまま固定金具が装着できるのが特徴であり、帯状把手を着脱する必要はないが、着脱可能な帯状把手であっても、本願発明が適用できるのはいうまでもない。。
【００１５】
なお、（背景技術）の項に記載した特許文献１も蓄電池の蓋上面に把手を嵌挿するための溝部を設けた構造であるが、前記溝部の底部に液口栓を設けた構造であり、把手を溝部に嵌挿した場合には液口栓が完全に前記把手で覆われた状態になるので、固定金具を装着した状態では全く液口栓を開口することは不可能である問題点を抱えている。
【実施例】
【００１６】
本発明を実施例に基づき詳細に説明する。
(実施例１)
図１は、本発明に基づく実施例１の帯状把手を備えた長方形の自動車用鉛蓄電池を示す要部模式図で、１は自動車用鉛蓄電池本体、２は鉛蓄電池の電槽、３はその蓋、４は液口栓、５は端子、６は帯状把手、７はボルト、８は溝部、９は掛止部、１０は固定用金具（通常、クランプと称している）、１１は固定用金具のボルト（クランプボルトと称している）、１２はそのナットをそれぞれ示す。
【００１７】
本実施例では、帯状把手６はＰＰ樹脂繊維を編んで形成したもので、その両端部に孔を設け、該孔にボルト７を挿通し、自動車用鉛蓄電池１の短側面に埋め込まれた埋め込みナット（図１では図示せず）に前記ボルト７が螺着されて固定される。
【００１８】
図１に示すように、先端が固定された帯状把手６を引張りながら溝部８に嵌挿し、前記溝部８からはみ出した部分を掛止部９に掛止することによって帯状把手６が自動車用鉛蓄電池１の蓋３の上面より下面に配置された状態が維持される。したがって、このような状態では、図１に示すように、クランプ１０、クランプボルト１１およびナット１２とで自動車用鉛蓄電池１が問題なく固定されることが理解できる。また、溝部８が液口栓４および端子５の位置と異なる位置に形成されているので、帯状把手６が液口栓４および端子５を塞ぐことがないことも容易に理解できる。
【００１９】
実施例では、溝部８の形状は、凹形であったが、前記溝部８の形状は、この形状に限定されるものでなく、半円形状とか他の形状も適宜決めることができる。
【００２０】
図２は、図１に示した本発明に基づく自動車用鉛蓄電池１に装着された帯状把手６を溝部８から取り出し、上方向（図２における矢印方向）に持ち上げた状態を示す要部模式図で、構成部材は図1と同じ番号を付記する。
図２に示すように、従来の帯状把手と同様、帯状把手６を掴み、自動車用鉛蓄電池１を問題なく持ち上げることができ、従来品の帯状把手と変わらない機能を有している。
【００２１】
本実施例では、長方形の形状を有している自動車用鉛蓄電池の例であって、溝部８が前記蓄電池の長側部に沿って形成されているが、蓄電池は長方形とは限らず、正方形あるいは円筒形状も使用されており、そのような蓄電池においても、液口栓４および端子５とは異なる位置に溝部８を形成すれば同様の効果が得られ、蓄電池の形状には特に限定されるものではない。
【００２２】
図４は実施例２の円筒形蓄電池を示す要部模式図で、１３は円筒形蓄電池、２は電槽、３は蓋、４は液口栓、５は端子、８は溝部、９は掛止部をそれぞれ示す。このような形状の蓄電池も同様の効果が得られることは容易に理解できる。
【００２３】
本実施例での、帯状把手６はＰＰ樹脂繊維が用いられていたが、特にこれに限定されるものでなく、ＡＢＳ樹脂やＰＥ樹脂繊維を編んだもの、それらの織布あるいは不織布も適用することができる。さらに合成繊維に限定されるものでなく、蓄電池に使用されている電解液に対する耐性を有し、変形自在の特性を有している部材であればよい。
【００２４】
図５は本発明に基づく実施例３の掛止部９を示す要部模式図で、他の構成部材は図１と同じ番号を付記する。実施例１では、棒状の突起からなる掛止部９が採用されていたが、図５に示すような、Ｌ形突起からなる掛止部９も同様の機能を有している。しかし、これらの形状に限定されるものでなく、帯状把手を掛止する機能を備えておれば、特に形状にはこだわるものではない。
【００２５】
本願発明では、自動車用鉛蓄電池を例に説明したが、自動車用鉛蓄電池に限定されるものでなく、他の鉛蓄電池は勿論、帯状把手を備えた蓄電池であれば、本願発明が適用できることはいうまでもない。
【図面の簡単な説明】
【００２６】
【図１】本発明に基づく実施例１を示す要部模式図。
【図２】本発明に基づく実施例１を示す他の要部模式図。
【図３】帯状把手を備えた従来の自動車用鉛蓄電池を示す要部模式図。
【図４】本発明に基づく実施例２の円筒型蓄電池を示す要部模式図。
【図５】本発明に基づく実施例３の掛止部を示す要部模式図。
【符号の説明】
【００２７】
１  自動車用鉛蓄電池
２  電槽
３  蓋
６  帯状把手
７  ボルト
８  溝部
９  掛止部
１０  蓄電池固定用金具
１１  固定用金具のボルト
１２  固定用金具のナット
１３  円筒形蓄電池
【図１】
2005216531.tif 000003
【図２】
2005216531.tif 000004
【図３】
2005216531.tif 000005
【図４】
2005216531.tif 000006
【図５】
2005216531.tif 000007